(57)【要約】【課題】本発明の実施形態が解決しようとする課題は、照明器具の位置特定をしやすいハンガーおよび照明システムを提供することである。【解決手段】本発明の実施形態であるハンガー1は、照明バトン4に取り付けられるとともに照明器具3を接続可能なハンガー1であって、前記照明バトン4に取り付けられるバトン取付部11と、前記照明器具3を取り付ける器具取付部14と、前記照明器具3に関する情報を保有する識別情報保有手段（電波発信機18）とを有する。【選択図】図１
2019067623.tif 000002
【特許請求の範囲】
【請求項１】
照明バトンに取り付けられるとともに照明器具を取付保持可能なハンガーであって、
前記照明バトンに取り付けられるバトン取付部と；
前記照明器具を取り付ける器具取付部と；
自身を識別する識別情報を保有する識別情報保有手段と；
を有するハンガー。
【請求項２】
前記識別情報保有手段は、前記識別情報を発信する電波発信機である請求項１に記載のハンガー。
【請求項３】
前記識別情報保有手段は、専用電源によって駆動する請求項１または２に記載のハンガー。
【請求項４】
前記電波発信機から発信された情報を受信可能な電波受信機と；
前記電波受信機が受信した情報を受け取るとともに、前記電波発信機の位置を検出可能な外部端末と；
請求項２または３に記載のハンガーと；
前記ハンガーに取り付けられた照明器具と；
を備える照明システム。
【請求項５】
前記照明バトンを備え、
前記電波受信機は、前記照明バトンの長手方向に所定の間隔を空けて二箇所以上に設けられる請求項４に記載の照明システム。
【発明の詳細な説明】
【技術分野】
【０００１】
本発明はハンガーおよび照明システムに関する。
【背景技術】
【０００２】
従来、舞台やスタジオに用いられるスポットライト等の照明器具は、電源供給線や制御線を接続する照明バトンに、照明器具に取り付けられたハンガーに支持固定されることで、照明バトンとともに昇降可能となる。
【０００３】
近年、LED照明器具等、電源を供給する商用電源とDMX５１２と呼ばれる演出空間用照明制御信号などの調光制御信号を送る制御線の接続だけで、ハロゲン光源の器具のような調光負荷回路を必要としない器具が増えてきている。
【０００４】
ハロゲン器具を調光制御する場合、負荷回路で調光器と１対１で接続されており、制御する調光器とその取り口の位置関係により、調光操作卓側から制御する器具を特定できるため、操作卓の画面上に負荷の取り口の配置レイアウトを予め作成することで、視覚的に制御する器具を容易に選択できるようなシステムが構築でき、運用効率を上げていた。
【０００５】
しかし、調光負荷回路を必要としないLED器具などは、被設置場所である施設内の負荷コンセントの配置や数に依存しないため何処にでも設置できるため、操作卓から器具位置の特定ができず、操作卓上の画面に器具位置を表示させるには仕込画面を見ながらレイアウト画面上に手作業で器具を配置していかなければならないという課題があった。
【０００６】
これを改善するために、LED器具の位置検出方法として照明器具と操作卓との双方向通信を行う演出空間用制御信号であるＲＤＭ通信を用いたシステムなどが実用化されているが、このシステムではＲＤＭ対応の器具でなければ位置検出や管理ができないという課題や、電源が入っていない状態、ＲＤＭ制御の取り口から離れた場所に設置場合、隣の器具と制御線がクロス（テレコ）して配置すると正確な位置の特定ができないという課題があった。
【先行技術文献】
【特許文献】
【０００７】
【特許文献１】特許３４７９８９１号公報
【発明の概要】
【発明が解決しようとする課題】
【０００８】
本発明の実施形態が解決しようとする課題は、照明器具の位置特定および管理をしやすいハンガーおよび照明システムを提供することである。
【課題を解決するための手段】
【０００９】
本発明の実施形態であるハンガーは、照明バトンに取り付けられるとともに照明器具を接続可能なハンガーであって、前記照明バトンに取り付けられるバトン取付部と、前記照明器具を取り付ける器具取付部と、自身に関する識別情報を保有する識別情報保有手段機とを有する。
【発明の効果】
【００１０】
本発明の実施形態であるハンガーおよび照明システムによれば、照明器具の設置位置を容易に特定可能となる。
【図面の簡単な説明】
【００１１】
【図１】本発明の実施形態であるハンガーを示す正面図（右）および図中のA方向から見た側面図（左）と、従来のハンガーを示すA方向から見た側面図（中）である。
【図２】本発明の実施形態であるハンガーを示す正面図および側面図である。
【図３】本発明の実施形態であるハンガーの変形例を示す正面図および側面図である。
【図４】本発明の実施形態であるハンガーの変形例を示す正面図および側面図である。
【図５】本発明の実施形態であるハンガーの変形例を示す正面図および側面図である。
【図６】本発明の第一の実施形態である照明システムにおけるハンガーと照明器具および照明バトンの接続関係を示す図である。
【図７】本発明の第一の実施形態である照明システムを表す図である。
【発明を実施するための形態】
【００１２】
以下、図１ないし図７を参照して本発明の実施形態であるハンガー1および照明システムについて説明する。なお、図１の右図は、本発明の実施形態であるハンガー1と従来のハンガー1とで共通する正面図である。
【００１３】
まず、従来のハンガー1について説明する。
【００１４】
従来のハンガー1は、金属製であり、図１の右図および中央図に示すように、バトン取付部11の内周面に照明バトン4の支持棒の外周面が接するようにして照明バトン4に吊下げて取り付けられる。バトン取付部11の内周面には、滑りの防止として複数の溝部が設けられていてもよい。
【００１５】
バトン取付部11を照明バトン4に取り付けた後、挟持部12が照明バトン4の支持棒の外周面に接するようツマミ部13をねじ込んで固定する。
【００１６】
器具取付部14は、内部に空洞が形成されており、照明器具に設けられた不図示の接続部が挿入される。不図示の接続部は、器具取付部14に取り付けられた際、第一固定ネジ15a,または15bがねじ込まれて器具の上下の動きを規制されるような括れを有し、器具の抜けによる落下を防いでいる。
【００１７】
第一固定ネジ15aは、蝶ねじであり、第一固定ネジ15aの雄ネジ部は、締めこまれた際にその括れに係合する長さに形成される。また、第二固定ネジ16の雄ネジ部は、締めこまれた際に器具取付部14に取り付けられた照明器具の接続部を固定可能な長さに形成され、締め込むことにより照明器具が回転することを防いでいる。
【００１８】
本発明の実施形態であるハンガー1は、正面から見て略C字形状のバトン取付部11と、バトン取付部11の内周面に対向して設けられる挟持部12と、挟持部12が直線的にバトン取付部11に向かうようねじ込むことが可能なツマミ部13と、バトン取付部11の下部に設けられ、内部に空洞を有する器具取付部14と、器具取付部14と直交する略水平な向きに設けられる第一固定ネジ15aまたは15bと、器具取付部14および第一固定ネジ15aまたは15 bと直交する向きに設けられる第二固定ネジ16と、第一固定ネジ15aまたは15bに取り付けられる台座17と、台座17に設けられる電波発信機18とを有する。
【００１９】
次に、本発明の実施形態であるハンガー1について図１の右図および図１の左図を参照して説明する。なお、記載のない構成は従来のハンガー1と同一又は相当部分には、同一符号を付し、重複する説明は省略する。
【００２０】
本発明の実施形態であるハンガー1は、図１の左図に示すように、第一固定ネジ15に略L字状に曲折された金属板である台座17を有する。台座17は、この場合、第一固定ネジ15bがねじ込まれるとともに固定される。第一固定ネジ15bは、ツマミ部分がなく、工具を用いて締めこむようなネジ部材である。これにより、既に組み立てられたハンガー1から電波発信機18を誤ってずらすことが防止でき、所望の電波状態を維持できる。また、第一固定ネジ15bはツマミ部分がないことにより、一体管理されている接続された照明器具を分離して別の照明器具が接続されることを防ぐことが可能となる。
【００２１】
台座17には、樹脂製などの電波を遮蔽しない部材で形成された筐体である電波発信機18がネジ止めなどの固定手段により接続される。電波発信機18は図６に示すように、内部に電波発信部181と、電波発信部181を駆動する専用電源である電池部182を備える。
【００２２】
電波発信機18は、自身を識別する識別情報保有手段であり、内部の電波発信部181にUIDなどの固有の識別情報Dを保有している。電波発信部181は、当該固有の識別情報Dを無線信号として外部に発信する。
【００２３】
電波発信機18は、ハンガー1に取り付けられる照明器具3の照射方向を変える場合であっても方向が変わらないようハンガー1に固定される。
【００２４】
なお、電波発信機18の配設位置は、図１および図２に示すように台座17の上面に接するように配設する構成に限らない。他の実施形態として図３に示すように台座17の側面に接するように配設されてもよい。また、他の実施形態として図４および図５に示すように電波発信機18は、バトン取付部11の上面側や側面側に設けられてもよく、台座17を介さないようハンガー1の器具取付部14に取り付けられるように設けられてもよい。
【００２５】
また、本発明の実施形態であるハンガー1は、取り付けられる照明器具3がLEDなどの発光素子を光源とし本体に通信部を搭載するものであってもよいし、通信機能のないハロゲン電球のような電球を光源とするものであってもよい。
【００２６】
次に、本発明の実施形態であるハンガー1を用いた照明システムについて図６および図７を参照して説明する。図７に示されるRDM対応ノードおよびHUBは、バトン4の内部に設けられ、照明器具3と電気的に接続される。また、図７に示される制御信号（LAN）は、外部端末5からの制御信号をバトン4に送信するLANなどの制御線を表す。
【００２７】
本発明の実施形態である照明システムの第一の実施形態は、ハンガー1と、ハンガー1の電波発信機18から発信される無線信号を受信可能な電波受信機2と、ハンガー1に一体として取り付けられる照明器具3と、ハンガー1が取り付けられる照明バトン4と、照明器具3にバトン4を介して調光信号を送信可能な外部端末5を有する。
【００２８】
ハンガー1および当該ハンガー1に取り付けられる通信機能を持った照明器具3は、IDなどの固有の識別情報を含む器具情報Uを記憶している。この器具情報Uは、外部端末5において当該照明器具3に取り付けられたハンガー1の識別情報Dと紐付くよう設定され、管理される。すなわち、ハンガー1の識別情報Dを呼び出すとき、当該ハンガー1に取り付けられた照明器具3の器具情報Uも紐付けて呼び出すことが可能となる。
【００２９】
器具情報Uは、IDなどの照明器具3固有の識別情報の他、照明器具3の器具種別や、点灯時間、調光状態に関する情報であってもよい。
【００３０】
電波発信機18は、例えば定期的に無線信号を発信する。  電波受信機2は、電波発信機18から発信された無線信号を受信する。また、電波受信機2は、LANケーブルなどの負荷線を介して外部端末5に電気的に通信接続する。電波受信機2は、外部端末5に、電波発信機18から受信したハンガー1固有の識別情報を送信する。
【００３１】
電波受信機2は、例えば照明バトン4の長手方向に間隔を空けた二箇所に設けられる。
【００３２】
一般的に複数の電波受信機の位置関係と発信電波の強さと距離が判れば位置を特定することが可能であり、二箇所に設けられた電波受信機2は、図７に示すように、例えば照明バトン4にハンガー1および照明器具3が複数取り付けられる場合、複数のハンガー1それぞれの電波発信機18から受信する無線信号の強さによって、ハンガー1までの距離を識別可能である。この場合、それぞれの照明器具3が取り付けられているハンガー1の相対的な位置を二箇所に備えられた電波受信機2により受信し、各々の電波発信機18の受信した電波の強さと、予め記憶されている電波受信機2の位置関係によりバトン内または外部端末5に備えられた制御部で割り出し、どのバトンの情報であるかという情報と、受信した電波発信機18の識別情報Dと予め記憶されている照明器具3の器具情報Uにより、外部端末5に備えられた液晶などの表示部に室内マップやレイアウトなどと合わせて視覚的ハンガー1が取り付けられた照明器具3の位置を表示させることができる。これにより、照明器具3がどのバトン4のどの位置のコネクタと接続されているかに拠らず、外部端末5の操作者は直感的にハンガー1が取り付けられた照明器具の位置を把握できる。
【００３３】
電波受信機2は、三箇所以上に設けられてもよい。バトン4に複数設けられる電波受信機2は、位置検出を正確に行うため、それぞれ水平の高さが同じ位置に設けられることが望ましい。
【００３４】
本発明の第一の実施形態である照明システムは、複数のハンガー1および照明器具3の相対的な位置関係を検出可能である。そのため、複数の照明器具3を複数の照明バトン4に接続する際、複数の照明バトン4に備えられた複数のコネクタと位置関係を対応させて照明器具3を接続しなくともよい。例えば、ある照明バトン4に取り付けたハンガー1および照明器具3を、照明器具3と照明バトン4とを接続するコネクタを差し替えず他の照明バトン4に付け替えたとしても、電波発信機18と電波受信機2の位置関係によって当該ハンガー1および照明器具3の位置は付け替えた方の位置として検出される。
【００３５】
本発明の第二の実施形態である照明システムは、舞台やスタジオといった建物における出入り口や通路に設けられる電波受信機2を有する。電波受信機2は、電波発信機18から発信される無線信号を受信し、所定の管理サーバなどに受信したハンガー1固有の識別情報Dを送信する。識別情報Dは、当該ハンガー1に取り付けられた照明器具3の器具情報Uと紐付けられて管理サーバなどで管理される。
【００３６】
管理サーバは、外部端末などによって通信可能であり、管理されている識別情報Dを有するハンガー1および器具情報Uを有する照明器具3の移動記録などを閲覧可能になるように外部端末へ送信する。
【００３７】
電波受信機2は、出入り口であれば出口と入口双方に、通路であれば人の移動する方向に間隔を空けて二箇所以上設けられることが望ましい。これにより、ハンガー1およびハンガー1に取り付けられた照明器具3の移動方向を割り出すことが可能となるため、照明器具3の位置確認が容易になる。
【００３８】
また、本発明の実施形態であるハンガー1は、外部端末5から照明器具3へ調光信号を送るとともに照明器具3からも点灯時間等の情報を送ることができる双方向通信のRDM対応器具だけでなく、ハロゲン器具やその他RDM非対応器具を照明器具3として取り付けることが可能である。そのため、上記全ての実施形態において、RDM非対応器具の位置検出や管理が可能となる。さらに、照明用ハンガーによってバトンに吊り込むことの可能な可動型の小型調光器などのように、照明用ハンガーに接続できるものであれば照明器具以外の物であっても位置検出や行先管理することが可能である。
【００３９】
電波発信機18は、外部電源とは接続されない専用電源である電池部182から電源を供給されるため、第一の実施形態である照明システムにおいては、電源の接続がされていない状態や、照明バトン4が外部電源から電源供給を受けていない状態であっても電波発信部181から無線信号を発信可能であり、ハンガー1および当該ハンガー1に取り付けられた照明器具3の位置検出が可能である。
【００４０】
また、本発明の第二の実施形態である照明システムにおいては、ハンガー1および照明器具3が照明バトン4に取り付けられていない状態であっても電波発信部181は無線信号を発信することが可能である。そのため、ハンガー1および照明器具3は、照明バトン4から取り外され、別の部屋やスタジオへ移動させた場合であっても、どこの部屋やスタジオに移動されたのかの位置検出および管理が可能となる。
【００４１】
なお、識別情報保有手段は、例えばNFCチップのように、それ自体のみでは電波を発さないものであってもよい。
【００４２】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等に含まれる。
【符号の説明】
【００４３】
1…ハンガー
11…バトン取付部
12…挟持部
13…ツマミ部
14…器具取付部
15…第一固定ネジ
16…第二固定ネジ
17…台座
18…電波発信機
2…電波受信機
3…照明器具
4…照明バトン
5…外部端末
【図１】
2019067623.tif 000003
【図２】
2019067623.tif 000004
【図３】
2019067623.tif 000005
【図４】
2019067623.tif 000006
【図５】
2019067623.tif 000007
【図６】
2019067623.tif 000008
【図７】
2019067623.tif 000009